(57)【要約】【課題】  走査線補間処理の画質向上を目的としている。【解決手段】  走査線補間を行うときの動き判定処理において、従来の画素単位での動き判定処理に、各フィールドに対して行った直交変換の結果を利用して、ブロック単位での判定結果を加味することにより、動き判定処理の精度を向上する。【選択図】  図１
2010273197.tif 000002
【特許請求の範囲】
【請求項１】
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行う比較回路と、
前記比較回路の出力信号から、直交変換した領域の形状に応じたオフセットを算出するオフセット算出回路と、
前記インタレース走査の入力信号および、前記フィールドメモリからの出力信号および、前記オフセット算出回路の出力信号から、フィールド間の画像の動きの判定を前記オフセット算出回路の出力信号により制御を行いながら判定する動き判定回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【請求項２】
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行う比較回路と、
前記比較回路の出力信号から、直交変換した領域の形状に応じたオフセットを算出するオフセット算出回路と、
前記インタレース走査の入力信号および、前記フィールドメモリからの出力信号から、フィールド間の差分を検出するフィールド間差分検出回路と、
前記インタレース走査の入力信号および、前記フィールドメモリの出力信号から、隣接するライン間の差分値を出力する垂直エッジ検出回路と、
前記フィールド間差分検出回路および、前記垂直エッジ検出回路の出力信号および、前記オフセット算出回路の出力信号から、フィールド間の画像の動き量を前記オフセット算出回路の出力信号により制御を行いながら算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【請求項３】
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行う比較回路と、
前記比較回路の出力信号から、直交変換した領域の形状に応じたオフセットを算出するオフセット算出回路と、
前記インタレース走査の入力信号および、前記フィールドメモリからの出力信号および、前記オフセット算出回路の出力信号から、前記オフセット算出回路の出力信号で制御を行いながらフィールド間の差分を検出するフィールド間差分検出回路と、
前記インタレース走査の入力信号および、前記フィールドメモリの出力信号から、隣接するライン間の差分値を出力する垂直エッジ検出回路と、
前記フィールド間差分検出回路および、前記垂直エッジ検出回路の出力信号から、フィールド間の画像の動き量を算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【請求項４】
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行い、直交変換した領域が横縞の信頼度が高い時は１、それ以外の時は０を出力する比較回路と、
前記インタレース走査の入力信号および、前記フィールドメモリからの出力信号から、フィールド間の差分を検出するフィールド間差分検出回路と、
前記インタレース走査の入力信号から、隣接するライン間の差分値を出力する現フィールド垂直エッジ検出回路と、
前記フィールドメモリの出力信号および、前記比較回路の出力信号から、隣接するライン間の差分値を求め、前記比較回路の出力信号により差分値の出力を制御を行いながら出力する前フィールド垂直エッジ検出回路と、
前記現フィールド垂直エッジ検出回路および、前記前フィールド垂直エッジ検出回路の出力信号から、どちらか一方を選択して出力する選択回路と、
前記フィールド間差分検出回路および、前記垂直エッジ検出回路の出力信号から、フィールド間の画像の動き量を算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【請求項５】
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行い、直交変換した領域が静止した横縞である信頼度を多値で出力する比較回路と、
前記比較回路の出力信号から、直交変換した領域の形状に応じたオフセットを算出するオフセット算出回路と、
前記インタレース走査の入力信号および、前記フィールドメモリからの出力信号から、フィールド間の差分を検出するフィールド間差分検出回路と、
前記インタレース走査の入力信号から、隣接するライン間の差分値を出力する現フィールド垂直エッジ検出回路と、
前記フィールドメモリの出力信号から、隣接するライン間の差分値を出力する前フィールド垂直エッジ検出回路と、
前記現フィールド垂直エッジ検出回路および、前記前フィールド垂直エッジ検出回路の出力信号および、前記オフセット算出回路の出力信号から、どちらか一方を選択して出力する時、前記オフセット算出回路の出力信号により制御を行い出力する選択回路と、
前記フィールド間差分検出回路および、前記垂直エッジ検出回路の出力信号から、フィールド間の画像の動き量を算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【請求項６】
直交変換回路は、アダマール変換であることを特徴とする請求項１〜請求項５のいずれかに記載の走査線補間回路。
【請求項７】
直交変換回路は、離散コサイン変換であることを特徴とする請求項１〜請求項５のいずれかに記載の走査線補間回路。
【発明の詳細な説明】
【技術分野】
【０００１】
本発明は、インタレース走査された映像信号を動き検出手段を利用して走査線補間する回路および装置に関する。
【背景技術】
【０００２】
インタレース走査された映像信号では、非常に細かい横縞部分でフリッカが生じるなどの妨害がある。この問題を改善するために、インタレース走査の走査線を補間してプログレッシブ走査の映像信号として出力する方式がある。この方式では、一般的に画素単位で動き判定を行い、静止している場合に使用する前フィールドの信号と、動いている場合に使用する現フィールドの信号によって作成する補間信号を混合して、補間信号を作成する。
【０００３】
したがって、どのような補間信号が生成されるかは動き判定結果の精度に依存してくる。もし静止している部分に現フィールドの補間信号で補間を行うと、細い横縞は消えてしまい、フリッカとなってしまう。また、動いている部分に前フィールドの信号で補間を行うと、動きブレが生じ、エッジがギザギザになってしまう。
【０００４】
この動き判定結果の精度を高める手法として、特開平7−131678のように、垂直エッジ検出回路において、前フィールドまたは後フィールドのライン間差信号と、現フィールドのライン間差信号の最大値を垂直エッジ信号として使用するというものがある。
【先行技術文献】
【特許文献】
【０００５】
【特許文献１】特開平7−131678号公報
【発明の概要】
【発明が解決しようとする課題】
【０００６】
横縞状の細いエッジは、現フィールドには現れないため、ライン間差信号が微小となり、エッジとして検出することができなかったが、前フィールドのライン間差信号を使用することによってエッジとして検出することができ、ライン間差信号が大きくなり、その領域の動き判定結果を静止寄りにすることができる。したがって、静止している横縞画像は正確に補間することができる。
【０００７】
しかしながら、前フィールドのライン間差信号と現フィールドのライン間差信号の大小関係を比較しただけでは、前フィールドでエッジであったが現フィールドではエッジで無いような動いている領域でも、前フィールドのライン間差分信号が動き判定に使用され、動き判定結果が静止寄りになってしまい、前フィールドの値で補間が行われ、動きブレを生じてしまう。つまり、動いている領域においては、前フィールドのライン間差分値は本来動き判定に必要なライン間差分値とは無関係な値となってしまい、誤判定を引き起こす原因となってしまう。
【０００８】
また、画素単位での動き判定のみを行った場合は、ノイズの影響により動き判定の制度が低下し、生成された補間信号に影響を与える原因となってしまう。
【課題を解決するための手段】
【０００９】
かかる目的を達成するために、本発明の第１の発明は、
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行う比較回路と、
前記比較回路の出力信号から、直交変換した領域の形状に応じたオフセットを算出するオフセット算出回路と、
前記インタレース走査の入力信号および、前記フィールドメモリからの出力信号および、前記オフセット算出回路の出力信号から、フィールド間の画像の動きの判定を前記オフセット算出回路の出力信号により制御を行いながら判定する動き判定回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【００１０】
本発明の第二の発明は、
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行う比較回路と、
前記比較回路の出力信号から、直交変換した領域の形状に応じたオフセットを算出するオフセット算出回路と、
前記インタレース走査の入力信号および、前記フィールドメモリからの出力信号から、フィールド間の差分を検出するフィールド間差分検出回路と、
前記インタレース走査の入力信号および、前記フィールドメモリの出力信号から、隣接するライン間の差分値を出力する垂直エッジ検出回路と、
前記フィールド間差分検出回路および、前記垂直エッジ検出回路の出力信号および、前記オフセット算出回路の出力信号から、フィールド間の画像の動き量を前記オフセット算出回路の出力信号により制御を行いながら算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【００１１】
本発明の第三の発明は、
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行う比較回路と、
前記比較回路の出力信号から、直交変換した領域の形状に応じたオフセットを算出するオフセット算出回路と、
前記インタレース走査の入力信号および、前記フィールドメモリからの出力信号および、前記オフセット算出回路の出力信号から、前記オフセット算出回路の出力信号で制御を行いながらフィールド間の差分を検出するフィールド間差分検出回路と、
前記インタレース走査の入力信号および、前記フィールドメモリの出力信号から、隣接するライン間の差分値を出力する垂直エッジ検出回路と、
前記フィールド間差分検出回路および、前記垂直エッジ検出回路の出力信号から、フィールド間の画像の動き量を算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【００１２】
本発明の第四の発明は、
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行い、直交変換した領域が横縞の信頼度が高い時は１、それ以外の時は０を出力する比較回路と、
前記インタレース走査の入力信号および、前記フィールドメモリからの出力信号から、フィールド間の差分を検出するフィールド間差分検出回路と、
前記インタレース走査の入力信号から、隣接するライン間の差分値を出力する現フィールド垂直エッジ検出回路と、
前記フィールドメモリの出力信号および、前記比較回路の出力信号から、隣接するライン間の差分値を求め、前記比較回路の出力信号により差分値の出力を制御を行いながら出力する前フィールド垂直エッジ検出回路と、
前記現フィールド垂直エッジ検出回路および、前記前フィールド垂直エッジ検出回路の出力信号から、どちらか一方を選択して出力する選択回路と、
前記フィールド間差分検出回路および、前記垂直エッジ検出回路の出力信号から、フィールド間の画像の動き量を算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【００１３】
本発明の第五の発明は、
インタレース走査の映像信号を入力信号とし、
前記インタレース走査の入力信号を1フィールド分保持するフィールドメモリと、
前記インタレース走査の入力信号から、直交変換処理を行う直交変換回路１と、
前記フィールドメモリの出力信号から、直交変換処理を行う直交変換回路２と、
前記直交変換回路１の出力信号から、直交変換した領域の形状を判定する形状判定回路１と、
前記直交変換回路２の出力信号から、直交変換した領域の形状を判定する形状判定回路２と、
前記形状判定回路１の出力信号および、前記形状判定回路２の出力信号より、直交変換した領域の比較を行い、直交変換した領域が静止した横縞である信頼度を多値で出力する比較回路と、
前記比較回路の出力信号から、直交変換した領域の形状に応じたオフセットを算出するオフセット算出回路と、
前記インタレース走査の入力信号および、前記フィールドメモリからの出力信号から、フィールド間の差分を検出するフィールド間差分検出回路と、
前記インタレース走査の入力信号から、隣接するライン間の差分値を出力する現フィールド垂直エッジ検出回路と、
前記フィールドメモリの出力信号から、隣接するライン間の差分値を出力する前フィールド垂直エッジ検出回路と、
前記現フィールド垂直エッジ検出回路および、前記前フィールド垂直エッジ検出回路の出力信号および、前記オフセット算出回路の出力信号から、どちらか一方を選択して出力する時、前記オフセット算出回路の出力信号により制御を行い出力する選択回路と、
前記フィールド間差分検出回路および、前記垂直エッジ検出回路の出力信号から、フィールド間の画像の動き量を算出する動き判定値算出回路と、
前記インタレース走査の入力信号から、フィールド内補間信号を生成するフィールド内補間信号生成回路と、
前記インタレース走査の入力信号および、前記フィールドメモリからの出力信号および、前記フィールド内補間信号生成回路および、前記動き判定回路からの出力信号により、プログレッシブ変換された画像信号を出力するプログレッシブ変換回路とを備えた事を特徴とする走査線補間回路。
【００１４】
本発明の第六の発明は、
第一の発明および、第二の発明および、第三の発明および、第四の発明および、第五の発明における直交変換回路は、アダマール変換であることを特徴とする走査線補間回路。
【００１５】
本発明の第七の発明は、
第一の発明および、第二の発明および、第三の発明および、第四の発明および、第五の発明における直交変換回路は、離散コサイン変換であることを特徴とする走査線補間回路。
【発明の効果】
【００１６】
生成されたプログレッシブ信号は、直交変換の結果を使用することにより、ブロック単位での動き情報を考慮に入れる事ができ、動き判定結果が動き寄りに判定されている場合でも、静止している領域に対して静止寄りの判定結果を出力する事ができる。したがって、フリッカの発生を抑えた、最適なプログレッシブ映像を生成することができる。
【００１７】
また、生成されたプログレッシブ信号は、現フィールドと前フィールドの直交変換の結果を比較し、静止している横線であるか判定を行い、静止している横線であるときのみ前フィールドの垂直エッジの情報を動き判定で使用するようになり、動き判定の誤判定を低減することができ、動きブレの少ない、最適なプログレッシブ映像を生成することができる。
【図面の簡単な説明】
【００１８】
【図１】第一の実施例の適用図。
【図２】直交変換のフィルタ係数の分布の概念図。
【図３】第一、第二、第三の実施例におけるオフセット算出方法のグラフ。
【図４】第二の実施例の適用図。
【図５】第三の実施例の適用図。
【図６】第四の実施例の適用図。
【図７】第五の実施例の適用図。
【図８】第五の実施例におけるオフセット算出方法のグラフ。
【発明を実施するための形態】
【００１９】
（実施例１）
本発明の第一の実施例の適用図を図１に示す。
【００２０】
この実施例では、電荷結合素子（CCD）１で光電変換したインタレース走査の映像信号を、アナログ−デジタル変換機（A/D）２でAD変換を行う。さらに、カメラ信号処理回路３でアパーチャ補正、ガンマ補正、ホワイトバランスなどの撮像系の信号処理を行う。
【００２１】
このカメラ信号処理回路３の出力信号であるインタレース走査の入力信号とし、この入力信号をフィールドメモリ４に蓄え、1フィールド分の遅延を行う。
【００２２】
インタレース走査の入力信号S1により、直交変換回路８０によって直交変換を行う。
【００２３】
直交変換回路９では、インタレース走査の入力信号S1に対してアダマール変換処理を行った信号S８０を出力する。
【００２４】
入力された映像信号を７ライン分のラインメモリに保持し、８×８ブロックに分割し、８×８アダマール変換を施す。
【００２５】
また、直交変換回路８０での処理は、インタレース走査の入力信号S1に対する離散コサイン変換処理でも同様の効果が得られる。
【００２６】
また、直交変換回路８０での処理は、画素毎に処理を行っても、ブロック単位で同一の出力を行ってもよく、ブロックのサイズも８×８に限ったものではない。
【００２７】
フィールドメモリ４の出力信号S2により、直交変換回路８１によって直交変換を行う。直交変換回路８１の処理は、直交変換回路８０の処理と同様であるので、詳細は割愛する。
【００２８】
直交変換回路８０の出力信号S80により、形状判定回路９０によって、直交変換の結果を解析し、判定値S90を出力する。
【００２９】
図２は直交変換を行った時の、係数分布の概念図である。画像の周波数成分により、係数の大きくなる領域が異なる。
【００３０】
形状判定回路９０では、左上近傍には低周波の成分が集まっているため、この係数の合計を出力信号S90として出力する。
【００３１】
直交変換回路８１の出力信号S81により、形状判定回路９１によって、直交変換の結果を解析し、判定値S91を出力する。形状判定回路９１の処理は、形状判定回路９０の処理と同様であるので、詳細は割愛する。
【００３２】
形状判定回路９０の出力信号S90および、形状判定回路９１の出力信号S91によって、比較回路１０は、２つのフィールドの直交変換した結果の比較を行い、判定値S10を出力する。形状判定回路９０では、２つのフィールドの左上近傍の領域の係数の合計の比較を行う事によって領域が動いている信頼度を求めるために、形状判定回路９０の出力信号S90および、形状判定回路９１の出力信号S91の差分値の絶対値を出力信号S10として出力する。
【００３３】
オフセット算出回路１１では、比較回路１０の出力信号S10を入力信号として、オフセット値S11を出力する。
【００３４】
オフセット算出回路１１では、図３（ａ）のグラフに従いオフセット値を算出し出力する。
【００３５】
なお、このグラフは一例であり、S10の出力信号の値が大きいほど大きな値を出力する特性を持っていれば良い。
【００３６】
動き判定回路５では、インタレース走査の入力信号S1および、フィールドメモリ４の出力信号S2および、オフセット算出回路１１の出力信号S11によって、この画素が動いているかどうかの判定値を出力する。
【００３７】
インタレース走査の入力信号S1と、フィールドメモリ４の出力信号S2の値の比較をし、フィールド間の画素値の差を求める。この値は、静止している場合には０に近い値となり、動きの度合いが大きい程大きな値となる。
【００３８】
この値に、オフセット算出回路１１の出力信号S11を加えて、動き判定値S5を出力する。
【００３９】
動き判定回路５の出力信号S5は、静止していると判定された場合は０に近い値を出力し、動きの度合いが大きい程大きな値を出力する。
【００４０】
なお、上記の動き判定処理は一例であり、この手法に限ったものではない。
【００４１】
インタレース走査の入力信号S1により、フィールド内補間信号生成回路６において、フィールド内補間信号を生成する。
【００４２】
フィールド内補間信号は、補間点の上下の画素の平均値を出力信号S6として出力する。
【００４３】
なお、上記のフィールド内補間信号生成処理は一例であり、この手法に限ったものではない。
【００４４】
動き判定回路５の出力信号S5により、プログレッシブ変換回路７において、フィールドメモリ４の出力信号S2と、フィールド内補間信号生成回路６の出力信号S6とを線形合成し、補間信号を生成する。この線形合成では、動き判定回路５の出力信号S5が０に近い程フィールドメモリ４の出力信号S2に近い値が生成される。この補間信号とインタレース走査の入力信号とを順次交互に出力することにより、プログレッシブ変換された映像信号を出力する。
【００４５】
このようにして生成されたプログレッシブ信号は、直交変換の結果を使用することにより、ブロック単位での動き情報を考慮に入れる事ができ、動き判定結果が静止寄りに判定されている場合でも、動いている領域に対して動き寄りの判定結果を出力することができる。したがって、動きブレが発生することがなくなり、最適なプログレッシブ映像を生成することができる。
【００４６】
また同様の構成で、以下の手法により、同等の効果を得る事ができる。
【００４７】
電荷結合素子（CCD）１、A/D2、カメラ信号処理回路３、フィールドメモリ４、直交変換回路８０、直交変換回路８１、形状判定回路９０、形状判定回路９１、比較回路１０については処理の内容が同じため詳細は割愛する。
【００４８】
オフセット算出回路１１において、図３（ｂ）のグラフに従い、オフセット値を算出し出力する。このグラフは一例であり、S10の出力信号の値が大きいほど小さな値を出力する特性を持っていれば良い。
【００４９】
動き判定回路５では、インタレース走査の入力信号S1および、フィールドメモリ４の出力信号S2および、オフセット算出回路１１の出力信号S11によって、この画素が動いているかどうかの判定値を出力する。
【００５０】
インタレース走査の入力信号S1と、フィールドメモリ４の出力信号S2の値の比較をし、フィールド間の画素値の差を求める。この値は、静止している場合には０に近い値となり、動きの度合いが大きい程大きな値となる。
【００５１】
この値に、オフセット算出回路１１の出力信号S11を減算して、動き判定値S5を出力する。
【００５２】
０より小さい値となった場合は０を出力信号とする。
【００５３】
動き判定回路５の出力信号S5は、静止していると判定された場合は０に近い値を出力し、動きの度合いが大きい程大きな値を出力する。
【００５４】
なお、上記の動き判定処理は一例であり、この手法に限ったものではない。
【００５５】
インタレース走査の入力信号S1により、フィールド内補間信号生成回路６において、フィールド内補間信号を生成する。
【００５６】
フィールド内補間信号は、補間点の上下の画素の平均値を出力信号S6として出力する。
【００５７】
なお、上記のフィールド内補間信号生成処理は一例であり、この手法に限ったものではない。
【００５８】
動き判定回路５の出力信号S5により、プログレッシブ変換回路７において、フィールドメモリ４の出力信号S2と、フィールド内補間信号生成回路６の出力信号S6とを線形合成し、補間信号を生成する。この線形合成では、動き判定回路５の出力信号S5が０に近い程フィールドメモリ４の出力信号S2に近い値が生成される。この補間信号とインタレース走査の入力信号とを順次交互に出力することにより、プログレッシブ変換された映像信号を出力する。
【００５９】
このようにして生成されたプログレッシブ信号は、直交変換の結果を使用することにより、ブロック単位での動き情報を考慮に入れる事ができ、動き判定結果が動き寄りに判定されている場合でも、静止している領域に対して静止寄りの判定結果を出力する事ができる。したがって、フリッカの発生を抑えた、最適なプログレッシブ映像を生成することができる。
【００６０】
（実施例２）
本発明の第二の実施例の適用図を図４に示す。
【００６１】
CCD1,A/D2,カメラ信号処理回路３、フィールドメモリ４については、実施例１と動作が同じため説明を割愛する。
【００６２】
インタレース走査の入力信号S1により、直交変換回路８０によって直交変換を行う。
【００６３】
直交変換回路９では、インタレース走査の入力信号S1に対してアダマール変換処理を行った信号S８０を出力する。
【００６４】
入力された映像信号を７ライン分のラインメモリに保持し、８×８ブロックに分割し、８×８アダマール変換を施す。
【００６５】
また、直交変換回路８０での処理は、インタレース走査の入力信号S1に対する離散コサイン変換処理でも同様の効果が得られる。
【００６６】
また、直交変換回路８０での処理は、画素毎に処理を行っても、ブロック単位で同一の出力を行ってもよく、ブロックのサイズも８×８に限ったものではない。
【００６７】
フィールドメモリ４の出力信号S2により、直交変換回路８１によって直交変換を行う。直交変換回路８１の処理は、直交変換回路８０の処理と同様であるので、詳細は割愛する。
【００６８】
直交変換回路８０の出力信号S80により、形状判定回路９０によって、直交変換の結果を解析し、判定値S90を出力する。
【００６９】
図２は直交変換を行った時の、係数分布の概念図である。画像の周波数成分により、係数の大きくなる領域が異なる。
【００７０】
形状判定回路９０では、左上近傍には低周波の成分が集まっているため、この係数の合計を出力信号S90として出力する。
【００７１】
直交変換回路８１の出力信号S81により、形状判定回路９１によって、直交変換の結果を解析し、判定値S91を出力する。形状判定回路９１の処理は、形状判定回路９０の処理と同様であるので、詳細は割愛する。
【００７２】
形状判定回路９０の出力信号S90および、形状判定回路９１の出力信号S91によって、比較回路１０は、２つのフィールドの直交変換した結果の比較を行い、判定値S10を出力する。形状判定回路９０では、２つのフィールドの左上近傍の領域の係数の比較を行う事によって領域が動いている信頼度を求めるために、形状判定回路９０の出力信号S90および、形状判定回路９１の出力信号S91の差分値の絶対値を出力信号S10として出力する。
【００７３】
オフセット算出回路１１では、比較回路１０の出力信号S10を入力信号として、オフセット値S11を出力する。
【００７４】
オフセット算出回路１１では、図３（ａ）のグラフに従いオフセット値を算出し出力する。
【００７５】
なお、このグラフは一例であり、S10の出力信号の値が大きいほど大きな値を出力する特性を持っていれば良い。
【００７６】
フィールド間差分値検出回路５１では、インタレース走査の入力信号S1および、フィールドメモリ４の出力信号S2を入力信号とし、フィールド間での画像の変化した情報を生成する。これは、インタレース走査の入力信号S1から補間画素の仮想的な値を生成し、その値と１フィールド前の情報であるフィールドメモリ４の出力信号S2との差分値を求める事により生成し、出力信号S51として出力する。
【００７７】
垂直エッジ検出回路５２では、インタレース走査の入力信号S1および、フィールドメモリ４の出力信号S2に対して、それぞれ周波数解析を行う事により、補間画素位置および前フィールドの補間画素位置に対応した位置のフィールド内でのエッジ情報を生成し、いずれか一方を選択して、出力信号S52として出力する。
【００７８】
動き判定値算出回路５３では、フィールド間差分値検出回路５１の出力信号S51および、垂直エッジ検出回路５２の出力信号S52および、オフセット算出回路１１の出力信号S11より補間画素位置に対する動き判定値を出力する。
【００７９】
動き判定値は、フィールド間差分値検出回路５１の出力信号S51と、垂直エッジ検出回路５２の出力信号S52の比を求め、オフセット算出回路１１の出力信号S11の値を加算し、出力信号S53として出力する。
【００８０】
インタレース走査の入力信号S1により、フィールド内補間信号生成回路６において、フィールド内補間信号を生成する。
【００８１】
フィールド内補間信号は、補間点の上下の画素の平均値を出力信号S6として出力する。
【００８２】
なお、上記のフィールド内補間信号生成処理は一例であり、この手法に限ったものではない。
【００８３】
動き判定値算出回路５３の出力信号S5３により、プログレッシブ変換回路７において、フィールドメモリ４の出力信号S2と、フィールド内補間信号生成回路６の出力信号S6とを線形合成し、補間信号を生成する。この線形合成では、動き判定値算出回路５３の出力信号S5３が０に近い程フィールドメモリ４の出力信号S2に近い値が生成される。この補間信号とインタレース走査の入力信号とを順次交互に出力することにより、プログレッシブ変換された映像信号を出力する。
【００８４】
このようにして生成されたプログレッシブ信号は、直交変換の結果を使用することにより、ブロック単位での動き情報を考慮に入れる事ができ、動き判定結果が静止寄りに判定されている場合でも、動いている領域に対して動き寄りの判定結果を出力することができる。したがって、動きブレが発生する事がなくなり、最適なプログレッシブ映像を生成することができる。
【００８５】
また同様の構成で、以下の手法により、同等の効果を得る事ができる。
【００８６】
電荷結合素子（CCD）１、A/D2、カメラ信号処理回路３、フィールドメモリ４、直交変換回路８０、直交変換回路８１、形状判定回路９０、形状判定回路９１、比較回路１０については処理の内容が同じため詳細は割愛する。
【００８７】
オフセット算出回路１１において、図３（ｂ）のグラフに従い、オフセット値を算出し出力する。このグラフは一例であり、S10の出力信号の値が大きいほど小さな値を出力する特性を持っていれば良い。
【００８８】
フィールド間差分値検出回路５１では、インタレース走査の入力信号S1および、フィールドメモリ４の出力信号S2を入力信号とし、フィールド間での画像の変化した情報を生成する。これは、インタレース走査の入力信号S1から補間画素の仮想的な値を生成し、その値と１フィールド前の情報であるフィールドメモリ４の出力信号S2との差分値を求める事により生成し、出力信号S51として出力する。
【００８９】
垂直エッジ検出回路５２では、インタレース走査の入力信号S1および、フィールドメモリ４の出力信号S2に対して、それぞれ周波数解析を行う事により、補間画素位置および前フィールドの補間画素位置に対応した位置のフィールド内でのエッジ情報を生成し、いずれか一方を選択して、出力信号S52として出力する。
【００９０】
動き判定値算出回路５３において、フィールド間差分値検出回路51の出力信号S51と垂直エッジ検出回路５２の出力信号S52の比を求め、オフセット算出回路１１の出力信号S11の値を減算し、出力信号S53として出力する。０より小さい値となった場合は０を出力信号とする。
【００９１】
動き判定値算出回路５３の出力信号S5３により、プログレッシブ変換回路７において、フィールドメモリ４の出力信号S2と、フィールド内補間信号生成回路６の出力信号S6とを線形合成し、補間信号を生成する。この線形合成では、動き判定回路５の出力信号S5が０に近い程フィールドメモリ４の出力信号S2に近い値が生成される。この補間信号とインタレース走査の入力信号とを順次交互に出力することにより、プログレッシブ変換された映像信号を出力する。
【００９２】
このようにして生成されたプログレッシブ信号は、直交変換の結果を使用することにより、ブロック単位での動き情報を考慮に入れる事ができ、動き判定結果が動き寄りに判定されている場合でも、静止している領域に対して静止寄りの判定結果を出力することができる。したがって、フリッカの発生を抑えた、最適なプログレッシブ映像を生成することができる。
【００９３】
（実施例３）
本発明の第三の実施例の適用図を図５に示す。
【００９４】
CCD1,A/D2,カメラ信号処理回路３、フィールドメモリ４については、実施例１と動作が同じため説明を割愛する。
【００９５】
インタレース走査の入力信号S1により、直交変換回路８０によって直交変換を行う。
【００９６】
直交変換回路８０では、インタレース走査の入力信号S1に対してアダマール変換処理を行った信号S８０を出力する。
【００９７】
入力された映像信号を７ライン分のラインメモリに保持し、８×８ブロックに分割し、８×８アダマール変換を施す。
【００９８】
また、直交変換回路８０での処理は、インタレース走査の入力信号S1に対する離散コサイン変換処理でも同様の効果が得られる。
【００９９】
また、直交変換回路８０での処理は、画素毎に処理を行っても、ブロック単位で同一の出力を行ってもよく、ブロックのサイズも８×８に限ったものではない。
【０１００】
フィールドメモリ４の出力信号S2により、直交変換回路８１によって直交変換を行う。直交変換回路８１の処理は、直交変換回路８０の処理と同様であるので、詳細は割愛する。
【０１０１】
直交変換回路８０の出力信号S80により、形状判定回路９０によって、直交変換の結果を解析し、判定値S90を出力する。
【０１０２】
図２は直交変換を行った時の、係数分布の概念図である。画像の周波数成分により、係数の大きくなる領域が異なる。
【０１０３】
形状判定回路９０では、左上近傍には低周波の成分が集まっているため、この係数の合計を出力信号S90として出力する。
【０１０４】
直交変換回路８１の出力信号S81により、形状判定回路９１によって、直交変換の結果を解析し、判定値S91を出力する。形状判定回路９１の処理は、形状判定回路９０の処理と同様であるので、詳細は割愛する。
【０１０５】
形状判定回路９０の出力信号S90および、形状判定回路９１の出力信号S91によって、比較回路１０は、２つのフィールドの直交変換した結果の比較を行い、判定値S10を出力する。形状判定回路９０では、２つのフィールドの左上近傍の領域の係数の比較を行う事によって領域が動いている信頼度を求めるために、形状判定回路９０の出力信号S90および、形状判定回路９１の出力信号S91の差分値の絶対値を出力信号S10として出力する。
【０１０６】
オフセット算出回路１１では、比較回路１０の出力信号S10を入力信号として、オフセット値S11を出力する。
【０１０７】
オフセット算出回路１１では、図３（ａ）のグラフに従いオフセット値を算出し出力する。
【０１０８】
なお、このグラフは一例であり、S10の出力信号の値が大きいほど大きな値を出力する特性を持っていれば良い。
【０１０９】
フィールド間差分値検出回路５１１では、インタレース走査の入力信号S1および、フィールドメモリ４の出力信号S2および、オフセット算出回路１１の出力信号S11を入力信号とし、フィールド間での画像の変化した情報を生成する。これは、インタレース走査の入力信号S1から補間画素の仮想的な値を生成し、その値と１フィールド前の情報であるフィールドメモリ４の出力信号S2との差分を求め、その値にオフセット算出回路１１の出力信号S11の値を加算することにより生成し、出力信号S511として出力する。
【０１１０】
垂直エッジ検出回路５２では、インタレース走査の入力信号S1および、フィールドメモリ４の出力信号S2に対して、それぞれ周波数解析を行う事により、補間画素位置および前フィールドの補間画素位置に対応した位置のフィールド内でのエッジ情報を生成し、いずれか一方を選択して、出力信号S52として出力する。
【０１１１】
動き判定値算出回路５３１では、フィールド間差分値検出回路５１１の出力信号S511および、垂直エッジ検出回路５２の出力信号S52の出力信号により、補間画素位置に対する動き判定値を出力する。
【０１１２】
動き判定値は、フィールド間差分値検出回路５１１の出力信号S511と、垂直エッジ検出回路５２の出力信号S52の比を求め、出力信号S531として出力する。
【０１１３】
インタレース走査の入力信号S1により、フィールド内補間信号生成回路６において、フィールド内補間信号を生成する。
【０１１４】
フィールド内補間信号は、補間点の上下の画素の平均値を出力信号S6として出力する。
【０１１５】
なお、上記のフィールド内補間信号生成処理は一例であり、この手法に限ったものではない。
【０１１６】
動き判定値算出回路５３１の出力信号S5３１により、プログレッシブ変換回路７において、フィールドメモリ４の出力信号S2と、フィールド内補間信号生成回路６の出力信号S6とを線形合成し、補間信号を生成する。この線形合成では、動き判定値算出回路５３１の出力信号S5３１が０に近い程フィールドメモリ４の出力信号S2に近い値が生成される。この補間信号とインタレース走査の入力信号とを順次交互に出力することにより、プログレッシブ変換された映像信号を出力する。
【０１１７】
このようにして生成されたプログレッシブ信号は、直交変換の結果を使用することにより、ブロック単位での動き情報を考慮に入れる事ができ、動き判定結果が静止寄りに判定されている場合でも、動いている領域に対して動き寄りの判定結果を出力することができる。したがって、動きブレが発生する事がなくなり、最適なプログレッシブ映像を生成することができる。
【０１１８】
また同様の構成で、以下の手法により、同等の効果を得る事ができる。
【０１１９】
電荷結合素子（CCD）１、A/D2、カメラ信号処理回路３、フィールドメモリ４、直交変換回路８０、直交変換回路８１、形状判定回路９０、形状判定回路９１、比較回路１０については処理の内容が同じため詳細は割愛する。
【０１２０】
オフセット算出回路１１において、図３（ｂ）のグラフに従い、オフセット値を算出し出力する。このグラフは一例であり、S10の出力信号の値が大きいほど小さな値を出力する特性を持っていれば良い。
【０１２１】
フィールド間差分値検出回路５１１では、インタレース走査の入力信号S1および、フィールドメモリ４の出力信号S2および、オフセット算出回路１１の出力信号S11を入力信号とし、フィールド間での画像の変化した情報を生成する。これは、インタレース走査の入力信号S1から補間画素の仮想的な値を生成し、その値と１フィールド前の情報であるフィールドメモリ４の出力信号S2との差分を求め、その値にオフセット算出回路１１の出力信号S11の値を減算することにより生成し、出力信号S511として出力する。
【０１２２】
垂直エッジ検出回路５２では、インタレース走査の入力信号S1および、フィールドメモリ４の出力信号S2に対して、それぞれ周波数解析を行う事により、補間画素位置および前フィールドの補間画素位置に対応した位置のフィールド内でのエッジ情報を生成し、いずれか一方を選択して、出力信号S52として出力する。
【０１２３】
動き判定値算出回路５３１では、フィールド間差分値検出回路５１１の出力信号S511および、垂直エッジ検出回路５２の出力信号S52の出力信号により、補間画素位置に対する動き判定値を出力する。
【０１２４】
動き判定値は、フィールド間差分値検出回路５１１の出力信号S511と、垂直エッジ検出回路５２の出力信号S52の比を求め、出力信号S531として出力する。
【０１２５】
インタレース走査の入力信号S1により、フィールド内補間信号生成回路６において、フィールド内補間信号を生成する。
【０１２６】
フィールド内補間信号は、補間点の上下の画素の平均値を出力信号S6として出力する。
【０１２７】
なお、上記のフィールド内補間信号生成処理は一例であり、この手法に限ったものではない。
【０１２８】
動き判定値算出回路５３１の出力信号S5３１により、プログレッシブ変換回路７において、フィールドメモリ４の出力信号S2と、フィールド内補間信号生成回路６の出力信号S6とを線形合成し、補間信号を生成する。この線形合成では、動き判定値算出回路５３１の出力信号S5３１が０に近い程フィールドメモリ４の出力信号S2に近い値が生成される。この補間信号とインタレース走査の入力信号とを順次交互に出力することにより、プログレッシブ変換された映像信号を出力する。
【０１２９】
このようにして生成されたプログレッシブ信号は、直交変換の結果を使用することにより、ブロック単位での動き情報を考慮に入れる事ができ、動き判定結果が動き寄りに判定されている場合でも、静止している領域に対して静止寄りの判定結果を出力することができる。したがって、フリッカの発生を抑えた、最適なプログレッシブ映像を生成することができる。
【０１３０】
（実施例４）
本発明の第四の実施例の適用図を図６に示す。
【０１３１】
CCD1,A/D2,カメラ信号処理回路３、フィールドメモリ４については、実施例１と動作が同じため説明を割愛する。
【０１３２】
直交変換回路８０の出力信号S80により、形状判定回路９０１によって、直交変換の結果を解析し、判定値S901を出力する。
【０１３３】
図２は直交変換を行った時の、係数分布の概念図である。画像の周波数成分により、係数の大きくなる領域が異なる。形状判定回路９０１では、横縞の検出を行うため、水平エッジの領域の係数の絶対値の平均値を算出し、出力信号S901として出力する。
【０１３４】
直交変換回路８１の出力信号S81により、形状判定回路９１１によって、直交変換の結果を解析し、判定値S911を出力する。形状判定回路９１１の処理は、形状判定回路９０１の処理と同様であるので、詳細は割愛する。
【０１３５】
形状判定回路９０１の出力信号S901および、形状判定回路９１１の出力信号S911により比較回路１０１で、この２つの値の比較を行い、静止している水平線であるかの判定値を2値で出力する。比較回路１０１では、形状判定回路９０１の出力信号S901と、形状判定回路９１１の出力信号S911の差分が定数α以下かつ、形状判定回路９０１の出力信号S901の値が定数β以上のとき１を出力信号S101し、それ以外のときは０を出力信号S101とする。この定数αおよび定数βは外部から設定することができる値でも良い。
【０１３６】
フィールド間差分値検出回路５１では、インタレース走査の入力信号S1および、フィールドメモリ４の出力信号S2を入力信号とし、フィールド間での画像の変化した情報を生成する。これは、インタレース走査の入力信号S1から補間画素の仮想的な値を生成し、その値と１フィールド前の情報であるフィールドメモリ４の出力信号S2との差分値を求める事により生成し、出力信号S51として出力する。
【０１３７】
インタレース走査の入力信号S1により、現フィールド垂直エッジ検出回路５２１において、現フィールドの周波数解析を行うことにより、現フィールドのエッジ情報を出力する。ここでの周波数解析とは例えば、HPF処理、BPF処理、コアリング処理等のフィルタ処理等で良い。この周波数解析処理を行った信号を出力信号S521として出力する。
【０１３８】
フィールドメモリ４の出力信号S2および、比較回路１０１の出力信号S101により、前フィールド垂直エッジ検出回路５２２において、前フィールドの周波数解析を行うことにより、前フィールドのエッジ情報を出力する。ここでの周波数解析とは例えば、HPF処理、BPF処理、コアリング処理等のフィルタ処理等で良い。比較回路１０１の出力信号S101が１の時は、この周波数解析処理を行った信号を出力信号S521とし、０のときは０を出力信号S521として出力する。
【０１３９】
現フィールド垂直エッジ検出回路５２１の出力信号S521および、前フィールド垂直エッジ検出回路５２２の出力信号S522により、選択回路５２３において、動き判定で使用するエッジ情報を出力する。
【０１４０】
選択回路５２３では、現フィールド垂直エッジ検出回路５２１の出力信号S521と、前フィールド垂直エッジ検出回路５２２の出力信号S522の最大値を出力信号S523として出力する。
【０１４１】
動き判定値算出回路５３１では、フィールド間差分値検出回路５１の出力信号S51および、選択回路５２３の出力信号S523により、補間画素位置に対する動き判定値を出力する。
【０１４２】
動き判定値は、フィールド間差分値検出回路５１の出力信号S51と、選択回路５２３の出力信号S523の比を求め、出力信号S531として出力する。
【０１４３】
インタレース走査の入力信号S1により、フィールド内補間信号生成回路６において、フィールド内補間信号を生成する。
【０１４４】
フィールド内補間信号は、補間点の上下の画素の平均値を出力信号S6として出力する。
【０１４５】
なお、上記のフィールド内補間信号生成処理は一例であり、この手法に限ったものではない。
【０１４６】
動き判定値算出回路５３１の出力信号S5３１により、プログレッシブ変換回路７において、フィールドメモリ４の出力信号S2と、フィールド内補間信号生成回路６の出力信号S6とを線形合成し、補間信号を生成する。この線形合成では、動き判定値算出回路５３１の出力信号S5３１が０に近い程フィールドメモリ４の出力信号S2に近い値が生成される。この補間信号とインタレース走査の入力信号とを順次交互に出力することにより、プログレッシブ変換された映像信号を出力する。
【０１４７】
このようにして生成されたプログレッシブ信号は、現フィールドと前フィールドの直交変換の結果を比較し、静止している横線であるか判定を行い、静止している横線であるときのみ前フィールドの垂直エッジの情報を動き判定で使用するようになり、動き判定の誤判定を低減することができ、動きブレの少ない、最適なプログレッシブ映像を生成することができる。
【０１４８】
（実施例５）
本発明の第五の実施例の適用図を図７示す。
【０１４９】
CCD1,A/D2,カメラ信号処理回路３、フィールドメモリ４については、実施例１と動作が同じため説明を割愛する。
【０１５０】
直交変換回路８０の出力信号S80により、形状判定回路９０１によって、直交変換の結果を解析し、判定値S901を出力する。
【０１５１】
図２は直交変換を行った時の、係数分布の概念図である。画像の周波数成分により、係数の大きくなる領域が異なる。形状判定回路９０１では、横縞の検出を行うため、水平エッジの領域の係数の絶対値の平均値を算出し、出力信号S901として出力する。
【０１５２】
直交変換回路８１の出力信号S81により、形状判定回路９１１によって、直交変換の結果を解析し、判定値S911を出力する。形状判定回路９１１の処理は、形状判定回路９０１の処理と同様であるので、詳細は割愛する。
【０１５３】
形状判定回路９０１の出力信号S901および、形状判定回路９１１の出力信号S911により、比較回路１０２において、前フィールドが静止している横線である信頼度を出力信号S102として出力する。
【０１５４】
比較回路１０２では、形状判定回路９０１の出力信号S901と、形状判定回路９１１の出力信号S911の差が定数γ以下の時は、形状判定回路９１１の出力信号S911を出力信号S102とし、それ以外の時は０を出力信号S102とする。この定数γは外部から設定することができる値でも良い。
【０１５５】
比較回路１０２の出力信号S102により、オフセット算出回路１１２によって、前フィールドが静止している横線である信頼度から、図８のグラフに従いオフセットを算出して、出力信号S112として出力する。このグラフは一例であり、S102の出力信号の値が大きいほど大きな値を出力する特性を持っていれば良い。
【０１５６】
フィールド間差分値検出回路５１では、インタレース走査の入力信号S1および、フィールドメモリ４の出力信号S2を入力信号とし、フィールド間での画像の変化した情報を生成する。これは、インタレース走査の入力信号S1から補間画素の仮想的な値を生成し、その値と１フィールド前の情報であるフィールドメモリ４の出力信号S2との差分値を求める事により生成し、出力信号S51として出力する。
【０１５７】
インタレース走査の入力信号S1により、現フィールド垂直エッジ検出回路５２１において、現フィールドの周波数解析を行うことにより、現フィールドのエッジ情報を出力する。ここでの周波数解析とは例えば、HPF処理、BPF処理、コアリング処理等のフィルタ処理で良い。この周波数解析処理を行った信号を出力信号S521として出力する。
【０１５８】
インタレース走査の入力信号S1により、前フィールド垂直エッジ検出回路５２２１において、前フィールドの周波数解析を行うことにより、前フィールドのエッジ情報を出力する。ここでの周波数解析とは例えば、HPF処理、BPF処理、コアリング処理等のフィルタ処理で良い。この周波数解析処理を行った信号を出力信号S5221として出力する。
【０１５９】
現フィールド垂直エッジ検出回路５２１の出力信号S521および、前フィールド垂直エッジ検出回路５２２１の出力信号S5221および、オフセット算出回路１１２の出力信号S112により、選択回路５２３１において、現フィールド垂直エッジ検出回路５２１の出力信号S521または、前フィールド垂直エッジ検出回路５２２１の出力信号S5221の一方を選択し、出力信号S5231として出力する。
【０１６０】
選択回路５２３１では、現フィールド垂直エッジ検出回路５２１の出力信号S521と、前フィールド垂直エッジ検出回路５２２１の出力信号S5221を比較するときに、オフセット算出回路１１２の出力信号S112を前フィールド垂直エッジ検出回路５２２１の出力信号S5221に加えてから比較を行い、現フィールド垂直エッジ検出回路５２１の出力信号S521の方が大きい時は現フィールド垂直エッジ検出回路５２１の出力信号S521を出力信号S5231として出力し、前フィールド垂直エッジ検出回路５２２１の出力信号S5221とオフセット算出回路１１２の出力信号S112を加えた値の方が大きい時は、前フィールド垂直エッジ検出回路５２２１の出力信号S5221を出力信号S5231として出力する。
【０１６１】
動き判定値算出回路５３１では、フィールド間差分値検出回路５１１の出力信号S511および、選択回路５２３１の出力信号S5231により、補間画素位置に対する動き判定値を出力する。
【０１６２】
動き判定値は、フィールド間差分値検出回路５１１の出力信号S511と、選択回路５２３１の出力信号S5231の比を求め、出力信号S531として出力する。
【０１６３】
インタレース走査の入力信号S1により、フィールド内補間信号生成回路６において、フィールド内補間信号を生成する。
【０１６４】
フィールド内補間信号は、補間点の上下の画素の平均値を出力信号S6として出力する。
【０１６５】
なお、上記のフィールド内補間信号生成処理は一例であり、この手法に限ったものではない。
【０１６６】
動き判定値算出回路５３１の出力信号S5３１により、プログレッシブ変換回路７において、フィールドメモリ４の出力信号S2と、フィールド内補間信号生成回路６の出力信号S6とを線形合成し、補間信号を生成する。この線形合成では、動き判定値算出回路５３１の出力信号S5３１が０に近い程フィールドメモリ４の出力信号S2に近い値が生成される。この補間信号とインタレース走査の入力信号とを順次交互に出力することにより、プログレッシブ変換された映像信号を出力する。
【０１６７】
このようにして生成されたプログレッシブ信号は、現フィールドと前フィールドの直交変換の結果を比較し、静止している横線であるか判定を行い、静止している横線であるときのみ前フィールドの垂直エッジの情報を動き判定で使用するようになり、動き判定の誤判定を低減することができ、動きブレの少ない、最適なプログレッシブ映像を生成することができる。
【符号の説明】
【０１６８】
１  CCD
２  A/D変換回路
３  カメラ信号処理回路
４  フィールドメモリ
５１  フィールド間差分値検出回路
５２１  現フィールド垂直エッジ検出回路
５２２  前フィールド垂直エッジ検出回路
５３  動き判定値算出回路
６  フィールド内補間信号生成回路
７  プログレッシブ変換回路
８０  直交変換回路
９０  形状判定回路
１００  比較回路
１１  オフセット算出回路
【図１】
2010273197.tif 000003
【図２】
2010273197.tif 000004
【図３】
2010273197.tif 000005
【図４】
2010273197.tif 000006
【図５】
2010273197.tif 000007
【図６】
2010273197.tif 000008
【図７】
2010273197.tif 000009
【図８】
2010273197.tif 000010